(57)【要約】      （修正有）【課題】透過可能で視野角特性、透明性、反射特性に優れた反射型透明スクリーンを提供する。【解決手段】観察面側から投射された映像光を反射して映像を表示するとともに透明性を有する反射型透明スクリーン１００であって、透明基材１０の一方の面に凹凸面が形成されるとともに、当該凹凸面に高屈折率材料２１からなる反射層２０が設けられる一対の第１スクリーン部材３０及び第２スクリーン部材３１を備え、第１スクリーン部材３０及び第２スクリーン部材３１の反射層は、互いに透明接着材層４０を介して接合される。【選択図】図２
2020129052.tif 000002
【特許請求の範囲】
【請求項１】
観察面側から投射された映像光を反射して映像を表示するとともに透明性を有する反射型透明スクリーンであって、
透明基材の一方の面に凹凸面が形成されるとともに、当該凹凸面に高屈折率材料からなる反射層が設けられる一対の第１スクリーン部材及び第２スクリーン部材を備え、
前記第１スクリーン部材及び前記第２スクリーン部材の前記反射層は、互いに透明接着材層を介して接合される
ことを特徴とする反射型透明スクリーン。
【請求項２】
前記反射層は、前記高屈折率材料と低屈折率材料との２層構造からなる
請求項１に記載の反射型透明スクリーン。
【請求項３】
観察面側から投射された映像光を反射して映像を表示するとともに透明性を有する反射型透明スクリーンであって、
透明基材の一方の面に凹凸面が形成されるとともに、当該凹凸面に高屈折率材料からなる反射層が設けられる第１スクリーン部材と、
透明基材の両方の面に凹凸面が形成されるとともに、当該凹凸面に高屈折率材料からなる反射層が設けられる第２スクリーン部材と、
透明基材の両方の面に平滑面が形成される透明スクリーン部材と、を備え、
前記第１スクリーン部材の反射層と前記第２スクリーン部材の一方の面の反射層とが互いに透明接着材層を介して接合され、
前記第２スクリーン部材の他方の面の反射層と前記透明スクリーン部材の一方の面とが互いに透明接着材層を介して接合される
ことを特徴とする反射型透明スクリーン。
【発明の詳細な説明】
【技術分野】
【０００１】
本発明は、映像光を反射して映像を表示するとともに透明性を有する反射型透明スクリーンに関する。
【背景技術】
【０００２】
従来から、ショーウィンドウや車両のヘッドアップディスプレイなど、投影された映像を反射させて視認させつつ、透明性を備えた反射型の透明スクリーンの研究が盛んに行われている。
【０００３】
例えば、特許文献１には、透明性と光散乱性を両立する光散乱性被膜の発明が開示され、ガラス基材に光散乱性被膜を施した反射型透明スクリーンの評価結果（実施例２９〜３３に対応）が段落００７４の表３に示されている。
【０００４】
また、特許文献２には、映像表示透明部材の発明が開示され、図１等に示されるように、着色等を施した光減衰層を設けることを必須とし、映像表示透明部材の光景視認性と投影される映像の視認性を向上させようとしたものである。
【先行技術文献】
【特許文献】
【０００５】
【特許文献１】特開２０１８−００４７５８号公報
【特許文献２】国際公開第２０１５／１９９０２６号
【発明の概要】
【発明が解決しようとする課題】
【０００６】
しかしながら、特許文献１の段落００７４の表３を参酌すると、いずれの実施例（実施例２９〜３３）においても、透過率が低く、官能評価の結果を見ても透明性に関して依然として課題が残る結果となっている。また、特許文献２に開示された発明は、着色等を施した光減衰層を設ける必要がある上、その断面構成も多層構造であり、生産性やコストの面で容易に量産できるようなものではなかった。
【０００７】
そこで、本願発明は、透過可能で、視野角特性、透明性、反射特性に優れた反射型透明スクリーンを提供することを目的とする。
【課題を解決するための手段】
【０００８】
（１）観察面側から投射された映像光を反射して映像を表示するとともに透明性を有する反射型透明スクリーン（１００）であって、透明基材（１０）の一方の面に凹凸面（１１）が形成されるとともに、当該凹凸面に高屈折率材料（２１）からなる反射層（２０）が設けられる一対の第１スクリーン部材（３０）及び第２スクリーン部材（３１）を備え、前記第１スクリーン部材及び前記第２スクリーン部材の前記反射層は、互いに透明接着材層（４０）を介して接合されることを特徴とする反射型透明スクリーン（１００）。
【０００９】
上記（１）に記載の構成によれば、例えば、図２に記載された実施例のように、透明基材（１０）の凹凸面（１１）に高屈折率材料（２１）からなる反射層（２０）を設けたスクリーン部材を、透明接着材層（４０）を介して互いに接合することで、図８のスクリーン特性に示されるような、視野角特性、透明性、反射特性に優れた反射型透明スクリーン（１００）を得ることが可能となる。
【００１０】
（２）前記透明接着材層（４０）は、透明な接着剤（４１）からなる上記（１）に記載の反射型透明スクリーン（１００）。
【００１１】
上記（２）に記載の構成によれば、反射型透明スクリーン（１００）の透明性をより一層確保することが可能となる。
【００１２】
（３）前記凹凸面（１１）のα値角は１０°以上である上記（１）または（２）に記載の反射型透明スクリーン（１００）。
【００１３】
上記（３）に記載の構成によれば、α値角を１０°以上とすることで、映像が良く見える範囲を広くすることが可能となる。
【００１４】
（４）前記高屈折率材料（２１）からなる前記反射層（２０）は、屈折率が１．７以上である上記（１）〜（３）のいずれかに記載の反射型透明スクリーン（１００）。
【００１５】
上記（４）に記載の構成によれば、屈折率が１．７以上となる高屈折率材料を反射層に利用することにより、投影画像の視認性を向上することが可能となる。
【００１６】
（５）前記透明接着材層（４０）と接する前記反射層（２０）の表面には、接着成分がコートされている上記（１）〜（４）のいずれかに記載の反射型透明スクリーン（１００）。
【００１７】
上記（５）に記載の構成によれば、反射層（２０）の表面に接着成分をコートすることにより、反射型透明スクリーン（１００）の一体性を強固にすることが可能となる。
【００１８】
（６）前記反射型透明スクリーン（１００）の透過率が７０％以上である上記（１）〜（５）のいずれかに記載の反射型透明スクリーン（１００）。
【００１９】
上記（６）に記載の構成によれば、反射型透明スクリーン（１００）の透過率を７０％以上確保することにより、透明スクリーンとしての機能を確保することが可能となる。
【００２０】
（７）前記高屈折率材料（２１）からなる前記反射層（２０）の厚さが、５５０×１／４×１／ｎ（ｎｍ）の±４０％の範囲内である（１）〜（６）のいずれかに記載の反射型透明スクリーン（１００）。
【００２１】
上記（７）に記載の構成によれば、反射層（２０）の厚さを、可視光線の波長（３８０〜７８０ｎｍ）の中間波長である５５０ｎｍに１／４波長を乗算し、さらに高屈折率材料（２１）の屈折率（ｎ）で除して求めた光学薄膜厚さ（ｔ）の±４０％の範囲内に設定することで、視認性に優れた反射型透明スクリーン（１００）を得ることが可能となる。
【００２２】
（８）前記透明接着材層（４０）の厚さは、０．０３〜１ｍｍである上記（１）〜（７）のいずれかに記載の反射型透明スクリーン（１００）。
【００２３】
上記（８）に記載の構成によれば、透明接着材層（４０）の厚さを０．０３〜１ｍｍとすることで、透明性及び反射特性を満たす反射型透明スクリーン（１００）を得ることが可能となる。
【００２４】
（９）前記透明接着材層（４０）の屈折率と、前記高屈折率材料（２１）からなる前記反射層（２０）の屈折率との差は０．２以上である上記（１）〜（８）のいずれかに記載の反射型透明スクリーン（１００）。
【００２５】
上記（９）に記載の構成によれば、透明接着材層（４０）の屈折率と、高屈折率材料（２１）からなる前記反射層（２０）の屈折率との差を０．２以上とすることで、透明性及び反射特性に優れた、反射型透明スクリーン（１００）を得ることが可能となる。
【００２６】
（１０）前記第１スクリーン部材（３０）における前記透明基材（１０）の他方の面に反射防止層（５０）が設けられる上記（１）〜（９）のいずれかに記載の反射型透明スクリーン（１００）。
【００２７】
上記（１０）に記載の構成によれば、反射型透明スクリーン（１００）の一方の面に反射防止層（５０）を設けることにより、外光などの映り込みを防止することが可能となる。
【００２８】
（１１）前記第１スクリーン部材（３０）における前記透明基材（１０）の他方の面、及び、前記第２スクリーン部材（３１）における前記透明基材（１０）の他方の面に反射防止層（５０）が設けられる上記（１）〜（９）のいずれかに記載の反射型透明スクリーン（１００）。
【００２９】
上記（１１）に記載の構成によれば、反射型透明スクリーン（１００）の両方の面に反射防止層（５０）を設けることにより、反射型透明スクリーン（１００）に対する観察方向に関わらず、外光などの映り込みを防止することが可能となる。
【００３０】
（１２）前記反射層（２０）は、前記高屈折率材料（２１）と低屈折率材料（２２）との２層構造からなる上記（１）〜（１１）のいずれかに記載の反射型透明スクリーン（１００）。
【００３１】
上記（１２）に記載の構成によれば、反射層（２０）として、高屈折率材料（２１）と低屈折率材料（２２）との２層構造とすることで、投影画像の視認性をより向上することが可能となる。
【００３２】
（１３）前記高屈折率材料（２１）は、ゾルゲル塗料で作製される上記（１）〜（１２）のいずれかに記載の反射型透明スクリーン（１００）。
【００３３】
上記（１３）に記載の構成によれば、高屈折率材料（２１）をゾルゲル塗料で作製することにより、高い屈折率と高い透過率を兼ね備えた反射層を形成することが可能となる。
【００３４】
（１４）観察面側から投射された映像光を反射して映像を表示するとともに透明性を有する反射型透明スクリーン（１００’）であって、透明基材（１０）の一方の面に凹凸面（１１）が形成されるとともに、当該凹凸面に高屈折率材料（２１）からなる反射層（２０）が設けられる第１スクリーン部材（３０）と、透明基材（１０）の両方の面に凹凸面（１１）が形成されるとともに、当該凹凸面に高屈折率材料（２１）からなる反射層（２０）が設けられる第２スクリーン部材（３１）と、透明基材の両方の面に平滑面が形成される透明スクリーン部材（６０）と、を備え、前記第１スクリーン部材の反射層と前記第２スクリーン部材の一方の面の反射層とが互いに透明接着材層（４０）を介して接合され、前記第２スクリーン部材の他方の面の反射層と前記透明スクリーン部材（６０）の一方の面とが互いに透明接着材層（４０）を介して接合されることを特徴とする反射型透明スクリーン（１００’）。
【００３５】
上記（１４）に記載の構成によれば、例えば、図１０に記載された実施例のように、透明基材（１０）の凹凸面（１１）に高屈折率材料（２１）からなる反射層（２０）を設けたスクリーン部材を、透明接着材層（４０）を介して互いに接合するとともに、高屈折率材料（２１）からなる反射層（２０）を３層構造とすることで、図８のスクリーン特性に示されるような、視野角特性、透明性、反射特性に優れた反射型透明スクリーン（１００’）を得ることが可能となる。
【図面の簡単な説明】
【００３６】
【図１】本発明の一実施例における、透明基材に対する高屈折率材料の設置態様を説明する図であって、（ａ）には高屈折率材料の塗布態様が示され、（ｂ）には高屈折率材料塗布後の断面拡大図が示されている。
【図２】本発明の一実施例（実施例−１）における、反射型透明スクリーンの断面概略構成を説明する図であって、（ａ）には各層の接合態様が示され、（ｂ）には全体の断面概略構成が示されている。
【図３】本発明の各実施例における反射型透明スクリーンの断面構成を説明する一覧表である。
【図４】本発明の各実施例における反射型透明スクリーンの断面構成を説明する一覧表である。
【図５】本発明における各比較対象スクリーンの断面構成を説明する図である。
【図６】本発明の各実施例（実施例−１〜６）における反射型透明スクリーンの断面構成を説明する図である。
【図７】本発明の各反射型透明スクリーン（実施例−１〜６）を構成する素材の物性を説明する一覧表である。
【図８】本発明の各実施例（実施例−１〜６）における反射型透明スクリーンの諸物性を説明する一覧表である。
【図９】本発明において、波長と反射率との関係を高屈折率材料の積層数ごとにと示したグラフである。
【図１０】本発明の実施例において、高屈折率材料を３層構造（実施例−５）とした反射型透明スクリーンの断面概略構成を説明する図であって、（ａ）には各層の接合態様が示され、（ｂ）には断面概略構成が示されている。
【発明を実施するための形態】
【００３７】
以下、図面を参照しつつ、本発明の反射型透明スクリーンについて説明する。
【００３８】
本発明の反射型透明スクリーンの一実施例として、図１（ａ）には反射型透明スクリーン１００の断面構成の一部が図示されており、透明基材１０の一方の面（図示右側側面）に凹凸面１１が形成され、当該凹凸面１１に高屈折率材料２１からなる反射層２０が設けられている。
【００３９】
図１（ｂ）には、透明基材１０における凹凸面１１の拡大模式断面図が図示されている。図示されるように、透明基材１０の凹凸面１１には高屈折率材料２１が薄膜を形成するように塗布されており、これにより反射層２０が形成されている。本実施例では、図７の表中、実施例−１〜６における「屈折材料のコーチング」及び「片面マット基材の特性」に示されるように、表面粗さＲａ０．２μｍの透明基材１０の凹凸面１１（図３表中の「片面凹凸アクリル板」に対応）に対し、高屈折率材料２１（図３表中の「高屈折率材コート」に対応）が塗工厚さ７５ｎｍで塗布され、屈折率が１．９の反射層２０が設けられている。
【００４０】
また、本実施例の透明基材１０は、実施例−１〜５において、厚さ１ｍｍのアクリル板を使用し、実施例−６では厚さ０．１ｍｍのＰＥＴフィルムを使用しているが、必ずしもこのような素材及び厚さに限定されるものではない。
【００４１】
続いて、図２には、図３、４、７、８の表中の実施例−１に対応する断面構成が図示されている。図２（ａ）に図示されるように、実施例−１では、透明基材１０の一方の面に反射層２０が設けられた、一対の第１スクリーン部材３０と第２スクリーン部材３１とが、互いに透明接着材層４０を介して接合されて、図２（ｂ）の模式断面図に示されるような反射型透明スクリーン１００が形成されている。
【００４２】
また、図２（ｂ）に破線で示されるように、本発明の反射型透明スクリーン１００は、透明基材１０の他方の表面に反射防止層５０（ＡＲ層）を設けることも可能であり、反射型透明スクリーン１００の表面での反射や、外光の映りこみを防止することができる。
【００４３】
なお、反射防止層５０（ＡＲ層）は、反射型透明スクリーン１００における投影画像の観察者側の面に設けることが好ましく、本発明の実施例−２（図４等参照）では、反射型透明スクリーン１００の観察者側の面にのみ反射防止層５０（ＡＲ層）を設けている。また、実施例−３（図４等参照）では、反射型透明スクリーン１００の両方の面に反射防止層５０（ＡＲ層）を設けている。本実施例では分光反射率０．５％以下の反射防止層５０（ＡＲ層）を設けている。
【００４４】
［１．比較対象スクリーンと、本発明の各実施例との比較試験］
本発明の反射型透明スクリーン１００の優位性を確認するため、従来型の比較対象スクリーンと、本発明の各実施例との比較試験を行っており、図３〜６には、各比較対象スクリーン及び本発明の各実施例における断面構成が示されている。すなわち、比較対象スクリーンとして構成Ｎｏ，（１）〜（５）の５つの比較対象スクリーン試験体を作製し、本発明の実施例−１〜６の各試験体と比較試験を実施している。なお、図５には上記比較対象スクリーンである構成Ｎｏ，（１）〜（５）の模式断面図が示され、図６には本発明の実施例−１〜６の模式断面図が示されている。
【００４５】
（断面構成素材の性状）
続いて、図４及び図７には、各比較対象スクリーンと本発明の実施例−１〜６における、断面構成素材の性状が示されている。各比較対象スクリーン及び本発明の各実施例ともに、スクリーンの表面及び裏面は透明基材１０の一方の面に凹凸面１１が設けられた厚さ１ｍｍの透明なアクリル板が使用されており、ヘイズ値５０％、凹凸面１１の表面粗さＲａ０．２μｍ、拡散透過率４６％の性状を有している。
【００４６】
また、比較対象スクリーンの構成Ｎｏ，（３）と、実施例−６では、スクリーンの一方の側に厚さ０．１ｍｍの透明なＰＥＴフィルムを透明基材１０として使用しており、当該ＰＥＴフィルムは、ヘイズ値７９％、凹凸面１１の表面粗さＲａ０．６４μｍ、拡散透過率７４％の性状を有している。
【００４７】
なお、透明基材１０の一方の面に形成される凹凸面１１については、特にその態様や形成方法が限定されるものではなく、不規則な凹凸構造のものや規則性のある凹凸構造のものを適宜採用することができる。また、凹凸面１１の形成方法等についても、透明基材に直接蒸着する方法のほか、有機又は無機の微粒子を混合した混合物を、透明基材１０の一方の面に塗布して凹凸面１１を形成することも可能である。
【００４８】
図７の表中（特に「屈折材料のコーチング」参照）に記載されるように、本発明の反射型透明スクリーン１００は、高屈折率材料２１からなる反射層２０が形成されるとともに、当該反射層２０が複数層設けられていることを特徴としており、具体的には本発明の実施例−１〜４、６では高屈折率材料２１からなる反射層２０が２層設けられ、実施例−５では高屈折率材料２１からなる反射層２０が３層設けられている。
【００４９】
また、図７の表中（特に「屈折材料のコーチング」参照）に記載されるように、本発明の各実施例では、高屈折率材料２１が透明基材１０の凹凸面１１に塗工厚さ７５ｎｍで塗布され、屈折率１．９の反射層２０が形成されている。なお、本発明の反射型透明スクリーン１００における高屈折率材料２１による反射層２０は、少なくとも屈折率１．７以上とし、より好ましくは屈折率を２．０前後とする。また、後述する透明接着材層４０の屈折率と、高屈折率材料２１による反射層２０の屈折率との差が０．２以上となるように設定することが好ましい。上記のような構成により、視野角特性、透明性、反射特性に優れた反射型透明スクリーン１００を得ることが可能となっている。
【００５０】
続いて、本発明の反射型透明スクリーン１００は、前述したように高屈折率材料２１からなる反射層２０を複数層設けていることを特徴としており、図２等に示されるように、当該反射層２０同士が透明接着材層４０を介して接合されている。本発明の各実施例では図７の表中（特に「接着材料の特性」参照）に示されるように、アクリル系の透明な接着剤４１が前述の反射層２０の表面に塗布され、厚さ０．０５ｍｍの透明接着材層４０を形成して互いの反射層２０が接着されている。
【００５１】
なお、上記透明接着材層４０の厚さは必ずしも上記寸法に限られるものではなく、厚さ０．０３〜１ｍｍの間で設定されることが好ましい。また、上記反射層２０と透明な接着剤４１との接着性能を向上させるために、別途、反射層２０の表面に透明な接着成分をコートすることも可能である。これにより、反射型透明スクリーン１００の一体性を強固に確保することが可能となる。
【００５２】
（反射型透明スクリーンのスクリーン特性）
続いて、図８には、各比較対象スクリーンと、本発明の各実施例におけるスクリーン特性が示されている。表中にはスクリーン特性として、製品透過率（％）、ピークゲイン（Ｐ．Ｇ）、α値角が示され、さらに、生産コストの良否、画像投影時のホットスポットの発生状態、投影画像の目視判定結果、生産コストと目視判定結果による総合評価結果が示されている。
【００５３】
図８の表中において、「生産コスト」は比較的安価なものを「○」で示し、比較的高価なものを「△」で示している。続いて表中の「ホットスポット」は、投影中心点から５°ずれた場所で投影画像にホットスポットが出現するか否かを評価したものであり、ホットスポットが出現しなかった場合は「○」、出現した場合は「×」として表中に示している。また、スクリーンに投影された投影画像の「目視判定」では、視認性の評価として不良なものを「×」、良好なものを「○」、優良なものを「◎」で示し、さらに以下に示す５段階の官能評価を行って表中に示している。
（官能評価値）
「１」・・・投射された映像が極めて鮮やかで、輪郭も極めてはっきりと見える。
「２」・・・投射された映像が鮮やかで、輪郭がはっきりと見える。
「３」・・・投射された映像が鮮やかであるが、輪郭がはっきりしない。
（ピントが合いづらい）
「４」・・・投射された映像が薄く、輪郭も薄い。
「５」・・・投射された映像が極めて薄く、輪郭も極めて薄い。
【００５４】
図８の実施例−１〜６の官能評価値から明らかなように、高屈折率材料２１からなる反射層２０を２層以上積層した本発明の反射型透明スクリーン１００は、いずれも投影像が鮮やかに視認され、さらに、映像の輪郭をはっきりと視認することが可能となっている。
【００５５】
一方、中屈折率材料からなる反射層を単層または複数層積層した比較対象スクリーンや、高屈折率材料を使用するも、当該高屈折率材料による反射層が単層であるものは、いずれも投影された映像が薄く、輪郭もはっきりと視認することができない結果となっている。
【００５６】
［２．高屈折率材料の塗布態様］
図９には、透明アクリル板に対する高屈折率材料２１の積層数による、反射率と反射光の波長との関係がグラフとして示されている。なお、表示される「（表）」は高屈折率材料２１の塗布面における反射率が示され、「（裏）」は高屈折率材料２１の塗布面の反対側である透明アクリル板面における反射率が示されている。この測定結果グラフから、可視光線のアクリル板単体の反射率が約６％、アクリル板に中屈折率材料を塗布した場合の反射率が約１０％であるのに対し、高屈折率材料２１の積層数が増加するにつれて高い反射率が得られることが判る。
【００５７】
（高屈折率材料による反射層の製造方法）
本発明の反射型透明スクリーン１００の各実施例−１〜６で使用される高屈折率材料２１は、波長６３３ｎｍの光における屈折率が１．９以上で、かつ波長３５０ｎｍの光における消衰係数が０．０５以下の酸化チタンを主成分とするものであり、高屈折率材料２１の製造に際して、チタニウムアルコキシド、有機溶媒、ヒドラジン誘導体塩および水を混和して反応させる反応工程と、当該反応工程によって得られる溶液を透明基材１０に供給して膜を形成する膜形成工程と、当該膜形成工程後に６０℃以上１００℃未満の温度にて加熱する加熱工程とを経て製造される、ゾルゲル塗料によるものである。このようなゾルゲル塗料により、高い屈折率と高い透過率を兼ね備えた反射層を形成することが可能となる。
【００５８】
また、上記したチタニウムアルコキシドを、チタニウムテトライソプロポキシド若しくはチタニウムテトラ−ｎ−ブトキシドとすることも可能であり、有機溶媒を炭素数３以下のアルコールとすることも可能である。さらに、上記加熱工程に先立ち、湿度１０％Ｒ．Ｈ以下で行う乾燥工程を加えることも可能である。
【００５９】
また、本発明の反射型透明スクリーン１００の各実施例においては、高屈折率材料２１からなる反射層２０の厚さを、下記（１）の式で算出される厚さに設定している。
ｔ（ｎｍ）＝  ５５０  ×  １／４  ×  １／ｎ  ・・・・・・（１）
【００６０】
すなわち、上記（１）による式では、可視光線の波長（３８０〜７８０ｎｍ）の中間波長である５５０ｎｍに１／４波長を乗算し、さらに高屈折率材料２１の屈折率（ｎ）で除して光学薄膜厚さ（ｔ）を設定している。なお、必ずしも、上記（１）の式で求められた光学薄膜厚さ（ｔ）に限定されるものではなく、±４０％の範囲で光学薄膜厚さ（ｔ）を設定することが可能であり、より好ましくは、バラツキを抑えるために±２０％の範囲で光学薄膜厚さ（ｔ）が設定されて、反射層２０が形成されることが好ましい。このような構成により、視認性に優れた反射型透明スクリーン１００を得ることが可能となる。
【００６１】
［３．別実施形態］
本発明の反射型透明スクリーンは、前述したように高屈折率材料２１からなる反射層２０を２層以上設けていることを特徴としているところ、当該特徴点を共通とする別実施形態が、図８中の実施例−４及び実施例−５であり、当該実施例−４の模式断面図が図６（Ｄ）に、実施例−５の模式断面図が図６（Ｅ）及び図１０に示されている。
【００６２】
実施例−４では、透明基材１０の凹凸面１１に対して、まず低屈折率材料が塗布されて屈折率１．４３以下の反射層が形成され、その上に高屈折率材料２１が塗工厚さ７５ｎｍで塗布されて屈折率１．９の反射層を形成している。そして、アクリル系の透明な接着剤が反射層にコートされ、厚さ０．０５ｍｍの透明接着材層を介して図６（Ｄ）に示されるような断面構成で接合されている。
【００６３】
実施例−４の断面構成によれば、官能評価の結果に示されるように、投影画像が極めて鮮やかで、投影画像の輪郭も極めてはっきりと視認することが可能となる。
【００６４】
続いて、実施例−５では、図１０の模式断面図に示されるように、透明基材１０の一方の面に凹凸面１１が形成されるとともに、当該凹凸面１１に高屈折率材料２１からなる反射層２０が設けられる第１スクリーン部材３０と、透明基材１０の両方の面に凹凸面１１が形成されるとともに、当該凹凸面１１に高屈折率材料２１からなる反射層２０が両方の面に設けられる第２スクリーン部材３１とを有しており、上記第１スクリーン部材３０の反射層２０と上記第２スクリーン部材３１の一方の面の反射層２０とが互いに透明接着材層４０を介して接合され、さらに、上記第２スクリーン部材３１の他方の面の反射層２０と、透明基材の両方の面に平滑面が形成された透明スクリーン部材６０の一方の面とが互いに透明接着材層４０を介して接合されている。
【００６５】
図８中の上記実施例−５における官能評価の結果に示されるように、実施例−４と同様に、投影画像が極めて鮮やかで、投影画像の輪郭も極めてはっきりと視認することが可能となる。
【００６６】
［４．総合的な評価］
以上、本発明の各実施例−１〜６による反射型透明スクリーン１００の投影画像の視認性能について評価したが、反射型透明スクリーンを市場で流通させるためには生産コストを併せて考慮する必要がある。特に、投影画像の視認性能が極めて良好なものであっても、反射型透明スクリーンの断面構成が多層になると、生産コストの上昇を招いてしまう。このようなことから、図８中に記載された「生産コスト」の評価結果と官能評価の評価結果を併せて評価すると、図８中の「総合評価」に記載されているように、実施例−１及び実施例−６における反射型透明スクリーンが比較的に適した断面構成であることが判る。
【００６７】
（他の実施態様）
以上、本発明の反射型透明スクリーンの一実施例について、図表にもとづいて説明したが、具体的な構成は上記した実施形態に必ずしも限定されるものではない。例えば、図８の表中に本発明の各実施例における「α値角」が記載されている。「α値角」はピークゲインが１／２になる角度に相当し、当該α値角が狭いほど、映像の良く見える範囲も狭くなってしまう。したがって、少なくともα値角は１０°以上とし、より好ましくは２０〜３０°とするのが良い。
【００６８】
本発明の範囲は、上記した実施形態の説明ではなく特許請求の範囲によって示され、さらに特許請求の範囲と均等の意味および範囲内でのすべての変更が含まれる。また、上記実施例に記載された具体的な数値範囲、寸法形状・機能等は本発明の課題を解決する範囲において、変更が可能である。
【符号の説明】
【００６９】
１００、１００’  反射型透明スクリーン
１０  透明基材
１１  凹凸面
２０  反射層
２１  高屈折率材料
２２  低屈折率材料
３０  第１スクリーン部材
３１  第２スクリーン部材
４０  透明接着材層
４１  接着剤
５０  反射防止層
６０  透明スクリーン部材
【図１】
2020129052.tif 000003
【図２】
2020129052.tif 000004
【図３】
2020129052.tif 000005
【図４】
2020129052.tif 000006
【図５】
2020129052.tif 000007
【図６】
2020129052.tif 000008
【図７】
2020129052.tif 000009
【図８】
2020129052.tif 000010
【図９】
2020129052.tif 000011
【図１０】
2020129052.tif 000012